(57)【要約】【課題】本発明は、光源を有する発光タッチパネルの構造を単純化すると共に、制御を容易にすることを目的とする。【解決手段】発光タッチパネルは、反射層１６と、反射層１６に隣接する第１電極層とを備える。第１電極層は、帯状のＲＸ電極２８と、延伸方向を揃えてＲＸ電極２８に並べられ、反射層１６に重なる帯状のカソード１８とが設けられた層である。また、発光タッチパネルは、第１電極層に隣接する絶縁層２０と、絶縁層２０に隣接するＯＬＥＤ層２２とを備える。また、発光タッチパネルは、絶縁層２０を貫通し、カソード１８とＯＬＥＤ層２２との間を接続するカソードコンタクトホール４０を備え、さらに、ＯＬＥＤ層２２に隣接する第２電極層を備える。第２電極層は、ＲＸ電極２８に交差する帯状のＴＸ電極３０と、延伸方向を揃えてＴＸ電極３０に並べられ、ＯＬＥＤ層２２に接触するアノード２４とが設けられた層である。【選択図】図１
2020187418.tif 000002
【特許請求の範囲】
【請求項１】
線状のタッチ第１電極と、延伸方向を揃えて前記タッチ第１電極に並べられた線状のＯＬＥＤ第１電極と、が設けられた第１電極層と、
前記第１電極層の後方に隣接する絶縁層と、
前記絶縁層の後方に隣接するＯＬＥＤ層と、
前記絶縁層を貫通し、前記ＯＬＥＤ第１電極と前記ＯＬＥＤ層との間に位置する第１コンタクトホールと、
前記ＯＬＥＤ層の後方に隣接する第２電極層であって、前記タッチ第１電極に交差する線状のタッチ第２電極と、延伸方向を揃えて前記タッチ第２電極に並べられ、前記ＯＬＥＤ層に接触するＯＬＥＤ第２電極と、が設けられた第２電極層と、
を備えることを特徴とする発光タッチパネル。
【請求項２】
請求項１に記載の発光タッチパネルにおいて、
前記タッチ第１電極および前記ＯＬＥＤ第１電極はメッシュ状の導体によって形成されていることを特徴とする発光タッチパネル。
【請求項３】
請求項２に記載の発光タッチパネルにおいて、
前記第１電極層は、
前記タッチ第１電極および前記ＯＬＥＤ第１電極の隙間に設けられ、延伸方向を揃えて前記タッチ第１電極および前記ＯＬＥＤ第１電極に並べて配置された線状のダミー電極を備え、
前記ダミー電極は、
メッシュ状の導体によって形成されていることを特徴とする発光タッチパネル。
【請求項４】
請求項１から請求項３のいずれか１項に記載の発光タッチパネルにおいて、
前記絶縁層よりも前記第２電極層の側に突出し、前記タッチ第２電極を他の領域から絶縁するリブを備えることを特徴とする発光タッチパネル。
【請求項５】
線状のタッチ第１電極と、延伸方向を揃えて前記タッチ第１電極に並べられた線状のＯＬＥＤ第１電極と、延伸方向を揃えて前記ＯＬＥＤ第１電極に並べられた線状のＯＬＥＤ第２電極と、が設けられた第１電極層と、
前記第１電極層の後方に隣接する絶縁層と、
前記絶縁層の後方に隣接するＯＬＥＤ層と、
前記絶縁層を貫通し、前記ＯＬＥＤ第１電極と前記ＯＬＥＤ層との間を接続する第１コンタクトホールと、
前記ＯＬＥＤ層の後方に隣接する第２電極層であって、前記ＯＬＥＤ層および前記絶縁層を挟んで、前記ＯＬＥＤ第１電極および前記ＯＬＥＤ第２電極に対向する領域を有する配線電極と、前記ＯＬＥＤ層および前記絶縁層を挟んで前記タッチ第１電極に交差する線状のタッチ第２電極と、を備える第２電極層と、
前記絶縁層を貫通し、前記配線電極と前記ＯＬＥＤ第２電極との間に位置する第２コンタクトホールと、  
を備えることを特徴とする発光タッチパネル。
【請求項６】
請求項５に記載の発光タッチパネルにおいて、
前記タッチ第１電極、前記ＯＬＥＤ第１電極および前記ＯＬＥＤ第２電極はメッシュ状の導体によって形成されていることを特徴とする発光タッチパネル。
【請求項７】
請求項５または請求項６に記載の発光タッチパネルにおいて、
前記第１電極層は、
前記タッチ第１電極、前記ＯＬＥＤ第１電極および前記ＯＬＥＤ第２電極の隙間に設けられ、延伸方向を揃えて前記タッチ第１電極、前記ＯＬＥＤ第１電極および前記ＯＬＥＤ第２電極に並べて配置された線状の追加電極を備え、
前記発光タッチパネルは、
前記絶縁層を貫通し、前記タッチ第２電極と前記追加電極との間に位置するタッチ電極コンタクトホールを備えることを特徴とする発光タッチパネル。
【請求項８】
請求項５から請求項７のいずれか１項に記載の発光タッチパネルにおいて、
前記絶縁層よりも前記第２電極層の側に突出し、前記タッチ第２電極と他の領域とを絶縁し、または、前記配線電極と他の領域とを絶縁するリブを備えることを特徴とする発光タッチパネル。
【請求項９】
請求項１から請求項８のいずれか１項に記載の発光タッチパネルにおいて、
反射部分を形成する反射層を有し、
前記第１電極層は、前記反射層の後方に隣接し、
前記ＯＬＥＤ第１電極は、前記反射層に重なることを特徴とする発光タッチパネル。
【発明の詳細な説明】
【技術分野】
【０００１】
本発明は、発光タッチパネルに関し、特に、ユーザの指等の接触位置を検出すると共に、発光機能を有するタッチパネルの構造に関する。
【背景技術】
【０００２】
コンピュータ等の情報処理装置には、タッチパネルディスプレイが広く用いられている。タッチパネルディスプレイは、液晶ディスプレイ（ＬＣＤ）の表示画面上に、操作者の指が接触した位置を検出するタッチセンサを設けたものである。ＬＣＤとして反射型ＬＣＤが用いられた場合、反射型ＬＣＤの前方（表示画面側）に板状の光源としてフロントライトが設けられる。さらに、フロントライトの前方には、板状のタッチセンサが設けられる。
【０００３】
フロントライトから後方に放射された光によって、反射型ＬＣＤの表示画面が明るく照らされる。タッチセンサおよびフロントライトは、ＬＣＤの表示画面がユーザから見通されるように光を透過する材料で形成されている。ユーザは、フロントライトによって明るく照らされた表示画面を視認すると共に、タッチセンサに触れることで情報処理装置を操作する。
【０００４】
タッチパネルディスプレイには、タッチパネルとフロントライトが独立に形成されているものがある。このようなタッチパネルディスプレイには、構造および製造工程が複雑になってしまうという問題があった。そこで、以下の特許文献１に記載されているように、タッチパネル用の電極とフロントライト用の電極とが共通化されたタッチパネルディスプレイが提案されている。
【先行技術文献】
【特許文献】
【０００５】
【特許文献１】特開２０１６−２１２５６１号公報
【発明の概要】
【発明が解決しようとする課題】
【０００６】
特許文献１に記載されているタッチパネルディスプレイでは、タッチパネル用の電極と、フロントライト用の電極とが共通化されている。そのため、タッチパネルおよびフロントライトを時分割で動作させる必要があり、制御が複雑になるという問題があった。
【０００７】
本発明は、フロントライト等の光源を有する発光タッチパネルの構造を単純化すると共に、制御を容易にすることを目的とする。
【課題を解決するための手段】
【０００８】
本発明は、線状のタッチ第１電極と、延伸方向を揃えて前記タッチ第１電極に並べられた線状のＯＬＥＤ第１電極と、が設けられた第１電極層と、前記第１電極層の後方に隣接する絶縁層と、前記絶縁層の後方に隣接するＯＬＥＤ層と、前記絶縁層を貫通し、前記ＯＬＥＤ第１電極と前記ＯＬＥＤ層との間に位置する第１コンタクトホールと、前記ＯＬＥＤ層の後方に隣接する第２電極層であって、前記タッチ第１電極に交差する線状のタッチ第２電極と、延伸方向を揃えて前記タッチ第２電極に並べられ、前記ＯＬＥＤ層に接触するＯＬＥＤ第２電極と、が設けられた第２電極層と、を備えることを特徴とする。
【０００９】
望ましくは、前記タッチ第１電極および前記ＯＬＥＤ第１電極はメッシュ状の導体によって形成されている。
【００１０】
望ましくは、前記第１電極層は、前記タッチ第１電極および前記ＯＬＥＤ第１電極の隙間に設けられ、延伸方向を揃えて前記タッチ第１電極および前記ＯＬＥＤ第１電極に並べて配置された線状のダミー電極を備え、前記ダミー電極は、メッシュ状の導体によって形成されている。
【００１１】
望ましくは、前記絶縁層よりも前記第２電極層の側に突出し、前記タッチ第２電極を他の領域から絶縁するリブを備える。
【００１２】
また、本発明は、線状のタッチ第１電極と、延伸方向を揃えて前記タッチ第１電極に並べられた線状のＯＬＥＤ第１電極と、延伸方向を揃えて前記ＯＬＥＤ第１電極に並べられた線状のＯＬＥＤ第２電極と、が設けられた第１電極層と、前記第１電極層の後方に隣接する絶縁層と、前記絶縁層の後方に隣接するＯＬＥＤ層と、前記絶縁層を貫通し、前記ＯＬＥＤ第１電極と前記ＯＬＥＤ層との間を接続する第１コンタクトホールと、前記ＯＬＥＤ層の後方に隣接する第２電極層であって、前記ＯＬＥＤ層および前記絶縁層を挟んで、前記ＯＬＥＤ第１電極および前記ＯＬＥＤ第２電極に対向する領域を有する配線電極と、前記ＯＬＥＤ層および前記絶縁層を挟んで前記タッチ第１電極に交差する線状のタッチ第２電極と、を備える第２電極層と、前記絶縁層を貫通し、前記配線電極と前記ＯＬＥＤ第２電極との間に位置する第２コンタクトホールと、を備えることを特徴とする。
【００１３】
望ましくは、前記タッチ第１電極、前記ＯＬＥＤ第１電極および前記ＯＬＥＤ第２電極はメッシュ状の導体によって形成されている。
【００１４】
望ましくは、前記第１電極層は、前記タッチ第１電極、前記ＯＬＥＤ第１電極および前記ＯＬＥＤ第２電極の隙間に設けられ、延伸方向を揃えて前記タッチ第１電極、前記ＯＬＥＤ第１電極および前記ＯＬＥＤ第２電極に並べて配置された線状の追加電極を備え、前記発光タッチパネルは、前記絶縁層を貫通し、前記タッチ第２電極と前記追加電極との間に位置するタッチ電極コンタクトホールを備える。
【００１５】
望ましくは、前記絶縁層よりも前記第２電極層の側に突出し、前記タッチ第２電極と他の領域とを絶縁し、または、前記配線電極と他の領域とを絶縁するリブを備える。
【００１６】
望ましくは、反射部分を形成する反射層を有し、前記第１電極層は、前記反射層の後方に隣接し、前記ＯＬＥＤ第１電極は、前記反射層に重なる。
【発明の効果】
【００１７】
本発明によれば、光源を有する発光タッチパネルの構造を単純化すると共に制御を容易にすることができる。
【図面の簡単な説明】
【００１８】
【図１】第１実施形態に係る発光タッチパネルの断面を模式的に示す図である。
【図２】発光タッチパネルに組み込まれるタッチセンサの原理を説明する図である。
【図３】第１実施形態に係る発光タッチパネルの構造を示す図である。
【図４】第２実施形態に係る発光タッチパネルの構造を示す図である。
【図５】第３実施形態に係る発光タッチパネルの構造を示す図である。
【図６】第４実施形態に係る発光タッチパネルの構造を示す図である。
【図７】絶縁層の後面に後方に突出するリブが形成された構造を示す図である。
【図８】リブが用いられた発光タッチパネルの構造を示す図である。
【図９】リブが用いられた発光タッチパネルの構造を示す図である。
【図１０】リブが用いられた発光タッチパネルの構造を示す図である。
【図１１】発光タッチパネルに組み込まれるタッチセンサの原理を説明する図である。
【発明を実施するための形態】
【００１９】
各図を参照して本発明の各実施形態に係る発光タッチパネルについて説明する。本明細書では、発光タッチパネルからユーザに向かう方向を前方とし、発光タッチパネルから光が放射される方向を後方とする。本明細書における前後左右上下を表す用語は、構造を説明するための便宜上のものであり、発光タッチパネルを使用するときの姿勢を限定するものではない。また、複数の図面に亘って示されている共通の構成要素については同一の符号を付してその説明を省略する。
【００２０】
図１には、第１実施形態に係る発光タッチパネルの断面が模式的に示されている。図の上方向は光タッチパネルからユーザ側を見た前方向に対応し、下方向は発光タッチパネルの後ろ方向に対応する。図１の左側に示された発光部１０は光源として機能し、右側に示されたセンサ部１２はタッチセンサとして機能する。ただし、発光部１０とセンサ部１２とでは描かれている断面が異なる。
【００２１】
発光部１０の構造について説明する。発光タッチパネルは、基材１４、反射層１６、カソード１８、絶縁層２０、カソードコンタクトホール４０、ＯＬＥＤ層２２（Organic Light Emitting Diode）、アノード２４および保護膜２６を備えている。基材１４は光を透過する材料で形成されている。基材１４の後方には、光を透過しない材料で形成された反射層１６が設けられている。反射層１６の後方には、光を透過する導電性の材料（光透過導電性材料）によって形成されたカソード１８が設けられている。光透過導電性材料としては、ＩＴＯ（Indium Tin Oxide）等が用いられてよい。基材１４およびカソード１８の後方には、絶縁層２０が設けられている。絶縁層２０の後方には、ＯＬＥＤ層２２が設けられている。絶縁層２０には、カソード１８とＯＬＥＤ層２２とを接続するカソードコンタクトホール４０が貫通している。コンタクトホールとは、ＯＬＥＤ層を形成する材料を充填した穴をいい、ＯＬＥＤ層２２と共に形成される。ＯＬＥＤ層２２は、電流が流れることで発光する有機材料で形成されている。ＯＬＥＤ層２２の後方には、光透過導電性材料によって形成されたアノード２４が設けられている。アノード２４の後方には、光を透過する材料で形成された保護膜２６が設けられている。
【００２２】
カソード１８とアノード２４との間に電圧が印加されることでＯＬＥＤ層２２に電流が流れる。これによってＯＬＥＤ層２２のうち電流が流れる領域が発光する。ＯＬＥＤ層２２から前方に発せられた光は反射層１６において反射し、後方に向かう。これによって、発光タッチパネルから後方に光が放射される。
【００２３】
次に、センサ部１２の構造について説明する。センサ部１２では、発光部１０におけるカソード１８と同一工程で形成される層にＲＸ電極２８が設けられている。また、発光部１０におけるアノード２４と同一工程で形成される層にＴＸ電極３０が設けられている。ＲＸ電極２８およびＴＸ電極３０は、光透過導電性材料で帯状に形成されている。光透過導電性材料としてはＩＴＯが用いられてよい。ＴＸ電極３０は左右方向に伸びており、ＲＸ電極２８は、ＯＬＥＤ層２２および絶縁層２０を挟んでＴＸ電極３０に交差している。
【００２４】
図２には、発光タッチパネルに組み込まれるタッチセンサの原理を説明する図が示されている。タッチセンサは、帯状に形成され左右方向に伸びる複数のＴＸ電極３０と、帯状に形成され上下方向に伸びる複数のＲＸ電極２８を備えている。複数のＴＸ電極３０は、方向を揃えて上下方向に並べられ、複数のＲＸ電極２８は方向を揃えて左右方向に並べられている。各ＲＸ電極２８は各ＴＸ電極３０と空間を隔てて交差している。
【００２５】
複数のＲＸ電極２８と複数のＴＸ電極３０の交点のうちいずれかにユーザの指が接近すると、ユーザの指が接近した交点における静電容量が変化する。そこで、発光タッチパネルの制御回路（図示せず）は、次のような動作によって、タッチパネルにおいてユーザの指が接近または接触した位置を検出する。
【００２６】
すなわち、制御回路は、複数のＴＸ電極３０に、パルス状の時間波形を有するパルス電圧を上から順に印加する。制御回路は、各ＲＸ電極２８に発生する電圧を測定し、パルス電圧が印加されているＴＸ電極３０と各ＲＸ電極２８との間の静電容量を検出する。制御回路は、ユーザの指が存在しない状態における各交点の静電容量を基準値とし、基準値に対する変化量を各交点についてモニターすることで、タッチパネルにおいてユーザの指が接近または接触した位置を検出する。
【００２７】
図３（ａ）〜図３（ｄ）には、第１実施形態に係る発光タッチパネルの構造が、各製造工程における状態によって示されている。これらの図は、光タッチパネルの一部分を示したものである。実際には、この部分と同様の構造が繰り返されるように上下左右に広がっている。
【００２８】
図３（ａ）に示されているように、基材１４の後面には反射層１６が設けられる。反射層１６は、基材１４の後面のうち光が反射する領域を占める。図３（ａ）には、４つの反射層１６が示されている。
【００２９】
基材１４および反射層１６の後面には帯状に上下に伸びるカソード１８１および１８２が設けられる。すなわち、左側で上下に並ぶ２つの反射層１６および基材１４の後面には、上下方向に伸びる帯状のカソード１８１が設けられている。同様に、右側で上下に並ぶ２つの反射層１６および基材１４の後面には、帯状に上下に伸びる帯状のカソード１８２が設けられている。
【００３０】
基材１４の後面におけるカソード１８１とカソード１８２との間の領域には、これらのカソードと延伸方向を揃えて、上下方向に伸びる帯状のＲＸ電極２８が設けられる。
【００３１】
図３（ｂ）に示されているように、カソード１８１、カソード１８２、および基材１４の後方には、絶縁層２０が設けられる。
【００３２】
図３（ｃ）に示されているように、絶縁層２０の後方にはＯＬＥＤ層２２が設けられる。カソード１８１における、上下に並ぶ２つの反射層１６に対応する位置には、絶縁層２０を貫通するカソードコンタクトホール４０１および４０２が形成される。カソード１８２における、上下に並ぶ２つの反射層１６に対応する位置には、絶縁層２０を貫通するカソードコンタクトホール４０３および４０４が形成される。カソードコンタクトホール４０１〜４０４は、ＯＬＥＤ層２２が形成されると共に形成される。
【００３３】
図３（ｄ）に示されているように、ＯＬＥＤ層２２の後方には、アノード２４１、ＴＸ電極３０およびアノード２４２が設けられる。アノード２４１、ＴＸ電極３０およびアノード２４２のそれぞれは、帯状に形成され左右方向に伸びている。アノード２４１、ＴＸ電極３０およびアノード２４２は、延伸方向を揃えて並べられており、アノード２４１とアノード２４２との間にＴＸ電極３０が設けられている。アノード２４１および２４２は、ＯＬＥＤ層２２の後面に接触する。図３（ｄ）には示されていないが、発光タッチパネルの最後方には、保護膜が設けられる。
【００３４】
このように、本実施形態に係る発光タッチパネルは、反射部分を形成する反射層１６と、反射層１６の後方に隣接する次のような第１電極層を備えている。すなわち、第１電極層は、線状（帯状）のタッチ第１電極としてのＲＸ電極２８と、延伸方向を揃えてＲＸ電極２８に並べられ、反射層１６に重なる線状（帯状）のＯＬＥＤ第１電極としてのカソード１８１および１８２とが設けられた層である。さらに、本実施形態に係る発光タッチパネルは、上記の第１電極層の後方に隣接する絶縁層２０と、絶縁層２０の後方に隣接するＯＬＥＤ層２２とを備えている。また、本実施形態に係る発光タッチパネルは、絶縁層２０を貫通し、カソード１８１とＯＬＥＤ層２２との間に位置する第１コンタクトホールとしてのカソードコンタクトホール４０１および４０２、ならびに、カソード１８２とＯＬＥＤ層２２との間に位置する第１コンタクトホールとしてのカソードコンタクトホール４０３および４０４を備えている。また、本実施形態に係る発光タッチパネルは、ＯＬＥＤ層２２の後方に隣接する次のような第２電極層を備えている。すなわち、第２電極層は、ＲＸ電極２８に交差する線状（帯状）のタッチ第２電極としてのＴＸ電極３０と、延伸方向を揃えてＴＸ電極３０に並べられ、ＯＬＥＤ層２２に接触するＯＬＥＤ第２電極としてのアノード２４１および２４２とが設けられた層である。なお、上記の「線状」の用語は、ある特定の方向に延伸している形状を意味し、その形状は、延伸方向に交わる方向に幅を持たせた帯状を含む。
【００３５】
このような構成によれば、カソード１８１がカソードコンタクトホール４０１および４０２を介してＯＬＥＤ層２２に接続され、カソード１８２がカソードコンタクトホール４０３および４０４を介してＯＬＥＤ層２２に接続される。また、アノード２４１および２４２がＯＬＥＤ層２２の後面に接触する。
【００３６】
カソード１８１とアノード２４１との間に電圧が印加されることで、ＯＬＥＤ層２２のうちカソード１８１とアノード２４１との間にある領域と、カソードコンタクトホール４０１とによって構成される発光領域に電流が流れ、この発光領域から光が発せられる。カソード１８１とアノード２４２との間に電圧が印加されることで、ＯＬＥＤ層２２のうちカソード１８１とアノード２４２との間にある領域と、カソードコンタクトホール４０２とによって構成される発光領域に電流が流れ、この発光領域から光が発せられる。カソード１８２とアノード２４１との間に電圧が印加されることで、ＯＬＥＤ層２２のうちカソード１８２とアノード２４１との間にある領域と、カソードコンタクトホール４０３とによって構成される発光領域に電流が流れ、この発光領域から光が発せられる。カソード１８２とアノード２４２との間に電圧が印加されることで、ＯＬＥＤ層２２のうちカソード１８２とアノード２４２との間にある領域と、カソードコンタクトホール４０４とによって構成される発光領域に電流が流れ、この発光領域から光が発せられる。また、ＴＸ電極３０およびＲＸ電極２８は、ＯＬＥＤ層２２および絶縁層２０を挟んで交差し、タッチセンサの一部を構成する。
【００３７】
このような構成によれば、カソードとＲＸ電極が同一の層に形成されるため、発光タッチパネルの構造および製造工程が単純となる。また、発光タッチパネルを発光させるための電極であるカソードおよびアノードと、タッチセンサを構成するＲＸ電極およびＴＸ電極は独立に形成される。そのため、発光タッチパネルを発光させる制御と、タッチセンサを動作させる制御を独立させることができ、制御が容易となる。
【００３８】
図４（ａ）〜図４（ｄ）には、第２実施形態に係る発光タッチパネルの構造が、各製造工程における状態によって示されている。第２実施形態に係る発光タッチパネルは、第１実施形態において、ＩＴＯ等によって形成されていたＲＸ電極２８、カソード１８１および１８２を、メッシュ状の金属で形成したものである。メッシュ状の金属を用いることで、ＲＸ電極２８および各カソード（１８１，１８２）が低抵抗化されると共に、光透過性が実現される。
【００３９】
図４（ａ）〜図４（ｄ）に示されているように、カソード１８１とＲＸ電極２８との隙間には、カソード１８１およびＲＸ電極２８と延伸方向を揃えて並ぶダミー電極４２が設けられる。同様に、カソード１８２とＲＸ電極２８との隙間には、カソード１８１およびＲＸ電極２８と延伸方向を揃えて並ぶダミー電極４２が設けられる。その他のカソードとＲＸ電極２８との隙間にもダミー電極４２が設けられてよい。ダミー電極４２は、他の導体とは接続されていなくてもよく、電位が浮遊した状態であってもよい。図４（ｄ）には示されていないが、発光タッチパネルの最後方には、保護膜が設けられる。
【００４０】
このように、カソードをメッシュ状の金属で形成することで、カソードの光透過性が確保されると共に、カソードの抵抗値が小さくなる。これによって、タッチセンサの感度が向上する。また、メッシュ状の金属で形成されたダミー電極４２を用いることで光透過性が一様となり、後方に設けられる反射型ＬＣＤの見易さが向上する。
【００４１】
図５（ａ）〜図５（ｄ）には、第３実施形態に係る発光タッチパネルの構造が各製造工程における状態によって示されている。この実施形態は、カソード１８１および１８２が設けられている層と同一の層にアノード２４１および２４２を設けるものである。図５（ａ）〜図５（ｄ）には、各カソード（１８１，１８２）、各アノード（２４１，２４２）および各ダミー電極４２がメッシュ状の金属によって構成された例が示されているが、これらの電極は、光透過導電性材料で形成されてもよい。この場合、ダミー電極４２は設けられなくてもよい。
【００４２】
図５（ａ）に示されているように、基材１４の後面におけるカソード１８１とカソード１８２との間の領域には、これらのカソードと延伸方向を揃えて、上下方向に伸びる帯状のＲＸ電極２８が設けられる。また、カソード１８１とＲＸ電極２８との間の領域には、カソード１８１およびＲＸ電極２８と延伸方向を揃えてアノード２４１が設けられている。さらに、カソード１８２とＲＸ電極２８との間の領域には、カソード１８２およびＲＸ電極２８と延伸方向を揃えてアノード２４２が設けられている。また、アノード２４１とＲＸ電極２８との間の領域には、アノード２４１およびＲＸ電極２８と延伸方向を揃えて帯状のダミー電極４２が設けられている。アノード２４２とＲＸ電極２８との間の領域には、アノード２４２およびＲＸ電極２８と延伸方向を揃えて帯状のダミー電極４２が設けられている。
【００４３】
図５（ｂ）に示されているように、カソード１８１、カソード１８２、ＲＸ電極２８、アノード２４１、アノード２４２およびダミー電極４２の後方には、絶縁層２０が設けられる。図５（ｃ）に示されているように、絶縁層２０の後方にはＯＬＥＤ層２２が設けられる。アノード２４１における上下２箇所の位置には、絶縁層２０を貫通するアノードコンタクトホール４４１および４４２が形成される。アノード２４２における上下２箇所の位置には、絶縁層２０を貫通するアノードコンタクトホール４４３および４４４が形成される。
【００４４】
図５（ｄ）に示されているように、ＯＬＥＤ層２２の後方には、ＯＬＥＤ層２２におけるカソード１８１に対向する領域とアノードコンタクトホール４４１との間を接続する配線電極４６１が設けられる。また、ＯＬＥＤ層２２におけるカソード１８１に対向する領域とアノードコンタクトホール４４２との間を接続する配線電極４６２が設けられる。さらに、ＯＬＥＤ層２２におけるカソード１８２に対向する領域とアノードコンタクトホール４４３との間を接続する配線電極４６３が設けられる。また、ＯＬＥＤ層２２におけるカソード１８２に対向する領域とアノードコンタクトホール４４４との間を接続する配線電極４６４が設けられる。
【００４５】
さらに、ＯＬＥＤ層２２の後方における、配線電極４６１と配線電極４６２との間に挟まれる領域、および、配線電極４６３と配線電極４６４との間に挟まれる領域には、横方向に延伸する帯状のＴＸ電極３０が設けられる。配線電極４６１〜４６４およびＴＸ電極３０は、光透過導電性材料で形成されてよい。図５（ｄ）には示されていないが、発光タッチパネルの最後方には、保護膜が設けられる。
【００４６】
このように、本実施形態に係る発光タッチパネルは、反射部分を形成する反射層１６と、反射層１６の後方に隣接する次のような第１電極層を備えている。すなわち、第１電極層は、線状（帯状）のタッチ第１電極としてのＲＸ電極２８と、延伸方向を揃えてＲＸ電極２８に並べられ、反射層１６に重なる線状（帯状）のＯＬＥＤ第１電極としてのカソード１８１および１８２と、延伸方向を揃えてカソード１８１および１８２に並べられた線状（帯状）のＯＬＥＤ第２電極としてのアノード２４１および２４２とが設けられた層である。また、本実施形態に係る発光タッチパネルは、上記の第１電極層の後方に隣接する絶縁層２０と、絶縁層２０の後方に隣接するＯＬＥＤ層２２とを備えている。また、本実施形態に係る発光タッチパネルは、絶縁層２０を貫通し、カソード１８１とＯＬＥＤ層２２との間に位置する第１コンタクトホールとしてのカソードコンタクトホール４０１および４０２と、カソード１８２とＯＬＥＤ層２２との間に位置する第１コンタクトホールとしてのカソードコンタクトホール４０３および４０４とを備えている。さらに、本発明の実施形態に係る光タッチパネルは、ＯＬＥＤ層２２の後方に隣接する次のような第２電極層を備えている。すなわち、第２電極層は、ＯＬＥＤ層２２および絶縁層２０を挟んで、カソード１８１およびアノード２４１に対向する領域を有する配線電極４６１および４６２と、ＯＬＥＤ層２２および絶縁層２０を挟んで、カソード１８２およびアノード２４２に対向する領域を有する配線電極４６３および４６４と、ＯＬＥＤ層２２および絶縁層２０を挟んでＲＸ電極２８に交差する線状（帯状）のタッチ第２電極としてのＴＸ電極３０とが設けられた層である。また、本実施形態に係る発光タッチパネルは、絶縁層２０を貫通し、配線電極４６１および４６２とアノード２４１との間を接続する第２コンタクトホールとしてのアノードコンタクトホール４４１および４４２と、絶縁層２０を貫通し、配線電極４６３および４６４とアノード２４２との間を接続する第２コンタクトホールとしてのアノードコンタクトホール４４３および４４３とを備えている。
【００４７】
このような構成によれば、カソード１８１は、カソードコンタクトホール４０１および４０２を介してＯＬＥＤ層２２に接続される。また、ＯＬＥＤ層２２は、配線電極４６１およびアノードコンタクトホール４４１を介してアノード２４１に接続され、さらに、配線電極４６２およびアノードコンタクトホール４４２を介してアノード２４１に接続される。また、カソード１８２は、カソードコンタクトホール４０３および４０４を介してＯＬＥＤ層２２に接続される。さらに、ＯＬＥＤ層２２は、配線電極４６３およびアノードコンタクトホール４４３を介してアノード２４２に接続され、さらに、配線電極４６４およびアノードコンタクトホール４４４を介してアノード２４２に接続される。
【００４８】
カソード１８１とアノード２４１との間、およびカソード１８２とアノード２４２との間に電圧が印加されることで、ＯＬＥＤ層２２のうち各アノードと各配線電極４６１〜４６４に挟まれる領域と、アノードコンタクトホール４４１〜４４４とによって構成される発光領域に電流が流れ、発光領域が発光する。また、ＯＬＥＤ層２２のうち各カソードと各配線電極４６１〜４６４に挟まれる領域と、カソードコンタクトホール４０１〜４０４とによって構成される発光領域に電流が流れ、発光領域が発光する。
【００４９】
このような構成によれば、カソード、アノード、およびＲＸ電極が同一の層に形成されるため、発光タッチパネルの構造および製造工程が単純となる。また、発光タッチパネルを発光させるための電極であるカソードおよびアノードと、タッチセンサを構成するＲＸ電極およびＴＸ電極は独立に形成される。そのため、発光タッチパネルを発光させる制御と、タッチセンサを動作させる制御を独立させることができ、制御が容易となる。
【００５０】
図６（ａ）〜図６（ｄ）には、第４実施形態に係る発光タッチパネルの構造が各製造工程における状態によって示されている。この実施形態は、第３実施形態においてダミー電極４２であった領域の一部から追加電極４８を分離し、タッチ電極コンタクトホール５２によってＴＸ電極３０を追加電極４８に接続したものである。
【００５１】
図６（ａ）に示されているように、各ダミー電極４２は欠損部分５０を有しており、この欠損部分５０に追加電極４８が設けられている。図６（ｃ）および図６（ｄ）に示されているように、ＯＬＥＤ層２２の後方には、ＯＬＥＤ層２２および絶縁層２０を挟んでＲＸ電極２８と交差するＴＸ電極３０が設けられている。ＴＸ電極３０は、光透過導電性材料で形成されてよい。図６（ｄ）には示されていないが、発光タッチパネルの最後方には、保護膜が設けられる。図６（ｂ）〜図６（ｄ）に示されているように、ＴＸ電極３０と各追加電極４８は、絶縁層２０およびタッチ電極コンタクトホール５２によって接続されている。このような構成によれば、ＴＸ電極３０の抵抗値が小さくなり、タッチセンサの感度が向上する。
【００５２】
第１実施形態に係る発光タッチパネルの変形例について説明する。図３（ｃ）の状態から図３（ｄ）の状態へと進む工程では、次のような工程が考えられる。すなわち、ＴＸ電極３０と各アノード（２４１，２４２）とを分離するパターンを描くマスクを絶縁層２０に付着させ、そのマスクの上からＯＬＥＤ層２２を形成し、さらに、光透過導電性材料を蒸着させ、マスクを剥離する工程が考えられる。しかし、パターンが微細であるような場合には、このような蒸着工程が困難なことがある。そこで、図７に模式的に示されているように、ＴＸ電極３０および各アノードを分離するマスクの代わりに、後方に突出するリブ６０が設けられてよい。
【００５３】
図７に示されている発光タッチパネルでは、絶縁層２０の後面に後方に突出するリブ６０が形成されている。絶縁層２０の後方にＯＬＥＤ層２２を形成し、さらに、ＯＬＥＤ層２２の後方に光透過導電性材料６２を蒸着することで、リブ６０によって絶縁（分離）されたＴＸ電極３０およびアノード２４１および２４２が形成される。
【００５４】
図８には、図３（ａ）〜図３（ｄ）に示された第１実施形態に係る発光タッチパネルについて、リブ６０１によってＴＸ電極３０とアノード２４１とが絶縁され、リブ６０２によってＴＸ電極３０とアノード２４２とが絶縁された構造が示されている。リブ６０１および６０２のそれぞれは、ＲＸ電極２８よりも後方の位置に、他の部分よりも幅が広い拡幅領域６４を有する。拡幅領域６４が設けられることで、ＴＸ電極３０におけるＲＸ電極２８と対向する領域の面積が狭くなる。これによって、ＴＸ電極３０とＲＸ電極２８によって形成される静電容量が小さくなり、タッチパネルの感度が高くなる。
【００５５】
図８には、リブ６０１および６０２のそれぞれに、拡幅領域６４が設けられた例が示されているが、図９に示されているように、リブ６０１および６０２は、拡幅領域６４が設けられずに幅が一様な構造を有していてもよい。
【００５６】
図１０には、図５（ａ）〜図５（ｄ）に示された第３実施形態に係る発光タッチパネルについてリブが形成された構造が示されている。この構造では、リブ６０１および６０２によってＴＸ電極３０と他の領域とが絶縁され、リブ６６１〜６６４によって、配線電極４６１〜４６４のそれぞれと他の領域とが絶縁されている。リブ６６１〜６６４は、それぞれ、配線電極４６１〜４６４を縁取る長方形状に形成され、絶縁層２０から後方に突出している。ＴＸ電極３０および配線電極４６１〜４６４のいずれでもない領域は、所定電位に固定されてもよい。なお、図１０には、リブ６０１および６０２のそれぞれに、拡幅領域６４が設けられた例が示されているが、図９に示されている例と同様、リブ６０１および６０２は、拡幅領域６４が設けられずに幅が一様な構造を有していてもよい。
【００５７】
ここでは、第１実施形態および第３実施形態について、リブによってＴＸ電極と他の領域とを絶縁し、アノードと他の領域とを絶縁し、あるいは配線電極と他の領域とを絶縁する構造について説明した。このようにリブを用いる構造は、第２実施形態および第４実施形態に用いられてもよい。
【００５８】
上記では、反射部分を形成する反射層１６と、反射層１６の後方に隣接する第１電極層とを備え、カソード（１８，１８１，１８２）が反射層１６に重なる構造について説明した。このような構造の他、光を反射する材料でカソード（１８，１８１，１８２）の少なくとも一部を形成し、カソード（１８，１８１，１８２）が反射層１６を兼ねる構造が採用されてもよい。
【００５９】
上記では、静電容量の変化によって、ユーザの指が接近または接触した位置を検出する発光タッチセンサについて説明した。発光タッチセンサとしては、電磁誘導の状態変化によってユーザの指やタッチペンが接近または接触した位置を検出するものが構成されてもよい。
【００６０】
図１１には、発光タッチパネルに組み込まれる電磁誘導型のタッチセンサの原理を説明する図が示されている。電磁誘導型タッチセンサは、帯状に形成され左右方向に伸びる複数（偶数）のＴＸ電極３０と、帯状に形成され上下方向に伸びる複数（偶数）のＲＸ電極２８を備えている。複数のＴＸ電極３０は、方向を揃えて上下方向に並べられ、複数のＲＸ電極２８は方向を揃えて左右方向に並べられている。各ＲＸ電極２８は各ＴＸ電極３０と空間を隔てて交差している。
【００６１】
上から２本ずつ、隣接する２本のＴＸ電極３０の一端同士が接続されている。一端同士が接続された２本のＴＸ電極３０の組は、ＴＸループ７２を形成する。複数のＴＸループ７２が方向を揃えて上下方向に並べられる。
【００６２】
また、右から２本ずつ、隣接する２本のＲＸ電極２８の一端同士が接続されている。一端同士が接続された２本のＲＸ電極２８の組は、ＲＸループ７０を形成する。複数のＲＸループ７０が方向を揃えて左右方向に並べられる。
【００６３】
発光タッチパネルの制御回路（図示せず）は、複数のＴＸループ７２に、パルス状の時間波形を有するパルス電流を上から順に流す。コイルを備えるタッチペンが、いずれのＲＸループ７０にも接近していない場合には、各ＲＸループ７０に現れる電流の値は０である。タッチペンが複数のＲＸループ７０のうちいずれかに接近すると、タッチペンが接近したＲＸループ７０に電流が誘起される。
【００６４】
制御回路は、パルス電流を複数のＴＸループ７２に順に流す過程において、各ＲＸループ７０の電流を測定する。制御回路は、電流測定値の値が変化したＲＸループ７０を検出することで、タッチパネルにおいてタッチペンが接近または接触した位置を検出する。
【００６５】
上記では、第１電極層にタッチ第１電極としてＲＸ電極２８が設けられ、第２電極層にタッチ第２電極としてＴＸ電極３０が設けられた実施形態について説明した。タッチ第１電極およびタッチ第２電極の機能は入れ換えられてもよい。すなわち、タッチ第１電極としてＴＸ電極が設けられ、タッチ第２電極としてＲＸ電極が設けられてもよい。
【００６６】
また、上記の実施形態におけるアノードとカソードの配置は入れ換えられてもよい。すなわち、ＯＬＥＤ第１電極としてアノードが設けられ、ＯＬＥＤ第２電極としてカソードが設けられてもよい。
【００６７】
上記では、基材１４の後方に反射層１６、第１電極層、絶縁層２０、ＯＬＥＤ層２２、第２電極層、および保護膜を順に積層させた実施形態について説明した。発光タッチパネルは、基材１４の前方に、第２電極層、ＯＬＥＤ層２２、絶縁層２０、第１電極層および保護膜を順に積層させた構造を有してもよい。この場合ＯＬＥＤ層２２から基材１４に向けて光が放射される。
【符号の説明】
【００６８】
１０  発光部、１２  センサ部、１４  基材、１６  反射層、１８，１８１，１８２  カソード、２０  絶縁層、２２  ＯＬＥＤ層、２４，２４１，２４２  アノード、２６  保護膜、２８  ＲＸ電極、３０  ＴＸ電極、４０，４０１〜４０４  カソードコンタクトホール、４２  ダミー電極、４４１〜４４４  アノードコンタクトホール、４６１〜４６４  配線電極、５０  欠損部分、５２  タッチ電極コンタクトホール、６０，６０１，６０２，６６１〜６６４  リブ、６２  光透過導電性材料、６４  拡幅領域。    
【図１】
2020187418.tif 000003
【図２】
2020187418.tif 000004
【図３】
2020187418.tif 000005
【図４】
2020187418.tif 000006
【図５】
2020187418.tif 000007
【図６】
2020187418.tif 000008
【図７】
2020187418.tif 000009
【図８】
2020187418.tif 000010
【図９】
2020187418.tif 000011
【図１０】
2020187418.tif 000012
【図１１】
2020187418.tif 000013